(57)【要約】【課題】紙幣精査時の手間を軽減できるようにする。【解決手段】紙幣カセット２７Ａ〜２７Ｃにはリサイクル紙幣、紙幣カセット２７Ｄには金種が特定されたリサイクル不可紙幣、リジェクト庫２６には金種が特定されなかったリサイクル不可紙幣を収納し、精査時には、紙幣カセット２７Ｄ内の紙幣を入出金部２３に退避させた後、空となった紙幣カセット２７Ｄを利用して紙幣カセット２７Ａ〜２７Ｃに収納されている紙幣を計数し、最後に入出金部２３に退避させていた紙幣を紙幣カセット２７Ｄに戻しながら計数した。こうすることで、従来ではリジェクト庫２６に収納される為に自動で精査できなかったリサイクル不可紙幣のうち、金種が特定できたリサイクル不可紙幣については自動で精査できるようになる為、より多くの紙幣を自動で精査でき、リジェクト庫２６に収納される自動で精査できない紙幣を従来と比べて減らすことができる。【選択図】図３
2017151928.tif 000002
【特許請求の範囲】
【請求項１】
入金時に利用者から受け取った紙幣、及び出金時に利用者に渡す紙幣を収納する入出金部と、
紙幣を鑑別する鑑別部と、
入金と出金とでリサイクルする紙幣を金種ごとに収納する少なくとも１つ以上の第１の紙幣カセットと、
前記鑑別部によって金種が特定された紙幣で、且つリサイクルしない紙幣を収納する第２の紙幣カセットと、
前記鑑別部によって金種が特定されずリサイクルしない紙幣を収納するリジェクト庫と、
前記第１及び第２の紙幣カセットに収納されている紙幣の精査を行う制御部と
を備え、
前記制御部は、
前記第１及び第２の紙幣カセットのうちの１つに収納されている紙幣を前記入出金部に退避させて、前記第１及び第２の紙幣カセットのうちの１つを空とし、空となった紙幣カセットと空となった紙幣カセット以外の紙幣カセットとの間で紙幣を移動させながら、空となった紙幣カセット以外に収納されている紙幣を計数し、計数完了後、入出金部に退避させていた紙幣を空となった元の紙幣カセットに戻しながら計数することで、前記第１及び第２の紙幣カセットに収納されている紙幣の精査を行う
ことを特徴とする自動取引装置。
【請求項２】
前記制御部は、
前記第１及び第２の紙幣カセットうちの１つに収納されている紙幣を前記入出金部に退避させる際に、前記入出金部に入りきらない紙幣については前記リジェクト庫に移動させることで、前記第１及び第２の紙幣カセットのうちの１つを空とする
ことを特徴とする請求項１に記載の自動取引装置。
【請求項３】
前記制御部は、
前記第１及び第２の紙幣カセットうちの１つに収納されている紙幣の枚数が、前記入出金部の退避可能枚数を越えている場合に、前記第１及び第２の紙幣カセットのうちの１つに収納されている紙幣のうち、前記退避可能枚数分の紙幣を前記入出金部に退避させ、残りの紙幣を前記リジェクト庫に移動させる
ことを特徴とする請求項２に記載の自動取引装置。
【請求項４】
前記制御部は、
前記第１及び第２の紙幣カセットうちの１つに収納されている紙幣を一枚ずつ順に前記入出金部に退避させていき、前記入出金部に退避させた紙幣の枚数が所定枚数に達すると、以降、前記第１及び第２の紙幣カセットうちの１つに収納されている紙幣を前記リジェクト庫に移動させる
ことを特徴とする請求項２に記載の自動取引装置。
【請求項５】
前記制御部は、
前記第２の紙幣カセットに収納されている紙幣を前記入出金部に退避させて、前記第２の紙幣カセットを空とする
ことを特徴とする請求項１〜４のいずれかに記載の自動取引装置。
【請求項６】
前記制御部は、
前記第１及び第２の紙幣カセットのうち、収納している紙幣の枚数が一番少ない紙幣カセットに収納されている紙幣を前記入出金部に退避させる
ことを特徴とする請求項１〜４のいずれかに記載の自動取引装置。
【請求項７】
前記第１の紙幣カセットには、第１の金種の紙幣を収納する複数の第１金種収納カセットが含まれ、
前記制御部は、
前記複数の第１金種収納カセットのそれぞれに収納されている紙幣を、前記空となった第２の紙幣カセットにまとめて移動させ、その後、前記第２の紙幣カセットに収納されている第１の金種の紙幣を、前記複数の第１金種収納カセットのうちの１つに移動させながら計数する
ことを特徴とする請求項５に記載の自動取引装置。
【請求項８】
前記第２の紙幣カセットには、前記第１の紙幣カセットに収納される紙幣とは異なる金種の紙幣と、金種が特定された汚損紙幣とが収納される
ことを特徴とする請求項１〜７のいずれかに記載の自動取引装置。
【発明の詳細な説明】
【技術分野】
【０００１】
本発明は、自動取引装置に関するものであり、例えば、複数の紙幣カセットを有する現金自動預払機（ＡＴＭ：Automatic  Teller  Machine）に適用して好適なものである。
【背景技術】
【０００２】
金融機関などで使用される現金自動預払機は、例えば、利用者との間で入金紙幣及び出金紙幣の授受を行う入出金部と、紙幣の金種、真偽などを鑑別する鑑別部と、紙幣を一時的に保留する一時保留部と、紙幣を金種ごとに収納する複数の紙幣カセットと、搬送路を介して紙幣を各部へと搬送する搬送部と、鑑別部によって異常判定された紙幣（これをリジェクト紙幣と呼ぶ）を収納するリジェクト庫とを有している。
【０００３】
このような現金自動預払機は、機内に収納されている紙幣の金種ごとの枚数（以下、紙幣の金種ごとの枚数を紙幣枚数と略して呼ぶ）を紙幣管理情報として管理するようになっている。現金自動預払機では、例えば初期設置時に、最初に装填された紙幣の紙幣枚数が入力され、これを紙幣管理情報として記憶する。その後、現金自動預払機は、入出金取引を行うごとに、紙幣管理情報として記憶している紙幣枚数を、取引された紙幣の紙幣枚数に応じて更新する。このようにして、現金自動預払機では、機内の紙幣枚数を自動的に更新するようになっている。
【０００４】
また、このような現金自動預払機の多くは、紙幣管理情報として記憶管理している紙幣枚数を、機内に収納されている紙幣の実際の紙幣枚数に一致させる精査機能を有している。従来、精査機能では、紙幣が収納されている複数の紙幣カセットのうちの１つから空の紙幣カセットへ紙幣を移動させた後、紙幣が収納されている紙幣カセットのうちの１つから空になった紙幣カセットへ紙幣を移動させながら計数することで、機内の紙幣枚数を実際に計数するようになっていた（例えば特許文献１参照）。
【先行技術文献】
【特許文献】
【０００５】
【特許文献１】国際公開第２０１４／１１５５７４号
【発明の概要】
【発明が解決しようとする課題】
【０００６】
ところで、従来の現金自動預払機では、リサイクルする（入金された紙幣を出金に利用する）紙幣については紙幣カセットに収納する一方で、リサイクルしない（もしくはできない）紙幣についてはリジェクト庫に収納するようになっている。ここで、リジェクト庫に収納される紙幣には、金種を特定できなかった紙幣も含まれる為、精査機能では自動で計数できない。
【０００７】
ゆえに、従来の現金自動預払機では、リジェクト庫に収納されている紙幣については、例えば紙幣カセットに収納されている紙幣の精査完了後に、作業員に手動で計数させるようになっていて、このリジェクト庫に収納されている紙幣の枚数が多いほど、計数作業に手間がかかるという問題を有していた。
【０００８】
本発明は以上の点を考慮したもので、従来と比べて、紙幣精査時の手間を軽減できる自動取引装置を提案しようとするものである。
【課題を解決するための手段】
【０００９】
かかる課題を解決するため本発明においては、入金時に利用者から受け取った紙幣、及び出金時に利用者に渡す紙幣を収納する入出金部と、紙幣を鑑別する鑑別部と、入金と出金とでリサイクルする紙幣を金種ごとに収納する少なくとも１つ以上の第１の紙幣カセットと、前記鑑別部によって金種が特定された紙幣で、且つリサイクルしない紙幣を収納する第２の紙幣カセットと、前記鑑別部によって金種が特定されずリサイクルしない紙幣を収納するリジェクト庫と、前記第１及び第２の紙幣カセットに収納されている紙幣の精査を行う制御部とを備え、前記制御部は、前記第１及び第２の紙幣カセットのうちの１つに収納されている紙幣を前記入出金部に退避させて、前記第１及び第２の紙幣カセットのうちの１つを空とし、空となった紙幣カセットと空となった紙幣カセット以外の紙幣カセットとの間で紙幣を移動させながら、空となった紙幣カセット以外に収納されている紙幣を計数し、計数完了後、入出金部に退避させていた紙幣を空となった元の紙幣カセットに戻しながら計数することで、前記第１及び第２の紙幣カセットに収納されている紙幣の精査を行うようにした。
【００１０】
こうすることで、従来、リジェクト庫に収納されて自動で精査できなかったリサイクル不可紙幣のうち、金種が特定できたリサイクル不可紙幣については自動で精査できるようになる為、リジェクト庫に収納される自動で精査できない紙幣を従来と比べて減らすことができる。
【発明の効果】
【００１１】
本発明は、紙幣精査時の手間を軽減できる自動取引装置を実現できる。
【図面の簡単な説明】
【００１２】
【図１】現金自動預払機の外観構成を示す斜視図である。
【図２】紙幣入出金機の内部構成を示す側面図である。
【図３】第１の実施の形態による精査処理の手順を示す遷移図である。
【図４】第１の実施の形態による入金過多の場合の精査処理の手順を示す遷移図である。
【図５】第２の実施の形態による精査処理の手順を示す遷移図である。
【発明を実施するための形態】
【００１３】
以下、発明を実施するための形態について、図面を用いて詳細に説明する。
【００１４】
［１．第１の実施の形態］
［１−１．現金自動預払機の構成］
まず、第１の実施の形態について説明する。図１に外観を示すように、第１の実施の形態の現金自動預払機１は、箱状の筐体２を中心に構成されており、例えば金融機関のＡＴＭコーナ等に設置され、顧客との間で入金取引や出金取引等の現金に関する取引を行う。尚、ここでは、現金自動預払機１の筐体２における、利用者が対峙する側を前側とし、その反対を後側とし、前側に対峙した顧客から見て上下左右をそれぞれ上側、下側、左側及び右側と定義する。
【００１５】
この現金自動預払機１は、筐体２の前面上部に、顧客応対部３が設けられている。顧客応対部３は、カード入出口４、入出金口５、操作表示部６、テンキー７及びレシート発行口８等からなり、顧客との間で現金や通帳等を直接やり取りすると共に、取引に関する情報の通知や操作指示の受付を行う部分である。
【００１６】
カード入出口４は、キャッシュカード等の各種カードが挿入又は排出される部分であり、カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、数字等の入力を受け付ける物理的なキーであり、暗証番号や取引金額等の入力操作時に用いられる。レシート発行口８は、取引処理の終了時に取引内容等を印字したレシートを発行する部分である。
【００１７】
筐体２内には、現金自動預払機１全体を統轄制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。また、図中省略しているが、筐体２内には、現金自動預払機１ごとの現金管理を行う現金管理センタとネットワークを介して接続する為の通信部等も設けられている。
【００１８】
［１−２．紙幣入出金機の構成］
紙幣入出金機１０は、図２に示すように、箱状の入出金機筐体２０を中心に構成され、制御部２１（図１）が紙幣入出金機１０を統轄制御する。制御部２１は、図示しないＣＰＵを中心に構成され、ＲＯＭ、ＲＡＭ、ハードディスクドライブやフラッシュメモリ等でなる記憶部２２（図１）から所定のプログラムを読み出して実行することにより、各部を制御して入金取引や出金取引等の種々の処理を行う。
【００１９】
紙幣入出金機１０内の上側には、入出金口５と繋がっている入出金部２３と、紙幣の金種や真偽を鑑別する鑑別部２４と、入金紙幣などを一時的に収納する一時保留部２５と、リジェクト庫２６とが設けられている。入出金口５には、図示しないシャッタが設けられていて、このシャッタが開閉することで、入出金口５を露出する又は覆うようになっている。
【００２０】
また、紙幣入出金機１０内の下側には、紙幣を収納する複数（例えば４個）の紙幣カセット２７（２７Ａ〜２７Ｄ）が、前後方向に並べて設けられている。これら４個の紙幣カセット２７Ａ〜２７Ｄは、同一構成であり、それぞれ紙幣を１枚ずつ集積することができ、また、集積した紙幣を１枚ずつ繰り出すことができるようになっている。これら４個の紙幣カセット２７Ａ〜２７Ｄは、最大収納枚数も同一になっている。
【００２１】
尚、現金自動預払機１は、一万円券と千円券についてはリサイクル（入金された紙幣を出金に利用）する一方で、五千円券と二千円券についてはリサイクルしないよう設定されている。尚、リサイクルする紙幣をリサイクル紙幣、リサイクルしない（もしくはできない）紙幣をリサイクル不可紙幣とも呼ぶ。また、現金自動預払機１では、千円券より一万円券の方が利用頻度が高い為、一万円券については１番前の紙幣カセット２７Ａと３番目の紙幣カセット２７Ｃに収納し、千円券については２番目の紙幣カセット２７Ｂに収納するようになっている。また、流通量が少なくリサイクルしない五千円券と二千円券については、まとめて１番後の紙幣カセット２７Ｄに収納するようになっている。
【００２２】
さらに、現金自動預払機１では、１番後の紙幣カセット２７Ｄに、五千円券と二千円券にくわえて、金種は特定できたものの汚れたり破損したりしていてリサイクルできない紙幣（これを汚損紙幣と呼ぶ）も収納するようになっている。つまり、紙幣入出金機１０の紙幣カセット２７Ｄには、五千円券と二千円券と汚損紙幣がリサイクル不可紙幣として収納される。
【００２３】
因みに、紙幣入出金機１０では、鑑別部２４によって紙幣が汚損紙幣であるかどうかを判定するようになっている。また、鑑別部２４は、金種すら特定できなかったリサイクル不可紙幣をリジェクト紙幣と判定するようになっていて、このリジェクト紙幣がリジェクト庫２６に収納される。リジェクト庫２６は、紙幣カセット２７Ａ〜２７Ｄと比べて、紙幣の最大収納枚数が少なくなっている。
【００２４】
さらに、紙幣入出金機１０の内部には、搬送路２８Ｒを介して各部へ紙幣を搬送する搬送部２８が設けられている。搬送部２８は、図示しないローラやベルト等により、搬送路２８Ｒに沿って紙幣を搬送する。また、搬送路２８Ｒの分岐点にはセレクタ（図示せず）が設けられていて、このセレクタにより紙幣の搬送先を切り替えることができるようになっている。
【００２５】
さらに、紙幣入出金機１０は、４個の紙幣カセット２７（２７Ａ〜２７Ｄ）が設けられている下部が下部ユニット２９として紙幣入出金機１０の後部から、現金自動預払機１の前方または後方に引き出すことができるようになっている。そして、現金自動預払機１では、前方または後方に引き出した下部ユニット２９から任意の紙幣カセット２７を取り出して、取り出した任意の紙幣カセット２７の代わりに、新しい紙幣カセット２７を下部ユニット２９にセットすることで、紙幣カセット２７を交換できるようになっている。
【００２６】
尚、運用上、紙幣カセット２７の交換時に、リサイクル不可紙幣としての五千円券と二千円券と汚損紙幣を回収することになっている場合には、五千円券、二千円券、汚損紙幣を収納している紙幣カセット２７Ｄを、新たな空の紙幣カセット２７Ｄに交換する。
【００２７】
紙幣入出金機１０は、このような構成でなり、鑑別部２４による紙幣の鑑別結果等をもとに、制御部２１が各部を制御して、紙幣の入金処理及び出金処理を行う。
【００２８】
具体的に、現金自動預払機１は、入金取引時、シャッタを開き、顧客によって入出金口５に紙幣が投入されると、シャッタを閉じて、投入された紙幣を入出金部２３から１枚ずつ繰り出して鑑別部２４に搬送する。ここで現金自動預払機１は、鑑別部２４の鑑別結果に基づき入金可能紙幣と判定された紙幣については一時保留部２５に搬送して一時的に収納する一方で、入金に適さない入金不可紙幣と判定された紙幣については入出金部２３へ戻して、シャッタを開くことで顧客に返却する。
【００２９】
その後、顧客との間で入金取引が確定すると、現金自動預払機１は、一時保留部２５に収納している紙幣を鑑別部２４に搬送して鑑別結果を得る。そして、現金自動預払機１は、鑑別部２４によって収納可能紙幣と判定された紙幣については、その金種に対応する紙幣カセット２７（２７Ａ〜２７Ｄ）へ搬送して収納する。尚、汚損紙幣は収納可能紙幣とする。よって、現金自動預払機１は、一万円券については紙幣カセット２７Ａ又は紙幣カセット２７Ｃ、千円券については紙幣カセット２７Ｂ、五千円券、二千円券、汚損紙幣については紙幣カセット２７Ｄに収納する。一方で、金種すら特定できなかったリサイクル不可紙幣（すなわちリジェクト紙幣）と判定された紙幣については、リジェクト庫２６に搬送して保管する。
【００３０】
また、現金自動預払機１は、出金取引時、顧客からの要求金額に応じて必要な金種毎の紙幣枚数を認識し、この金種毎の紙幣枚数に応じて紙幣カセット２７（２７Ａ〜２７Ｃ）から紙幣を繰り出して、鑑別部２４に搬送して鑑別結果を得る。尚、紙幣カセット２７Ｄについては、リサイクル不可の紙幣が収納される為、通常、この紙幣カセット２７Ｄから紙幣が繰り出されることはない。そして、現金自動預払機１は、鑑別部２４によって出金可能紙幣と判定された紙幣については入出金部２３に搬送する一方で、出金に適さない出金不可紙幣（すなわちリジェクト紙幣）と判定された紙幣についてはリジェクト庫２６へと搬送して保管する。尚、紙幣カセット２７Ａ〜２７Ｃから繰り出された紙幣が鑑別部２４によって汚損紙幣と判定された場合には、この汚損紙幣を紙幣カセット２７Ｄへと搬送して収納する。そして、要求金額分の紙幣が入出金部２３に集積されると、現金自動預払機１は、シャッタを開ける。これにより入出金部２３内に集積されている紙幣の受け取りが可能な状態となり、顧客がこの紙幣を受け取る。現金自動預払機１は、このような手順で、入金処理及び出金処理を行うようになっている。
【００３１】
また、現金自動預払機１では、初期設置時に、紙幣が収納された紙幣カセット２７Ａ〜２７Ｃと空の紙幣カセット２７Ｄがセットされるようになっていて、このとき、作業員によって、紙幣カセット２７Ａ〜２７Ｃのそれぞれに収納されている紙幣の金種ごとの枚数（紙幣枚数）が入力されるようになっている。現金自動預払機１の制御部２１は、このようにして入力された紙幣枚数を紙幣管理情報として記憶部２２に記憶し、以降、紙幣の入出金時にこの紙幣管理情報を更新するようになっている。制御部２１は、この紙幣管理情報によって、紙幣カセット２７Ａ〜２７Ｄのそれぞれに収納されている紙幣の紙幣枚数、及び機内有高（現金自動預払機１内の紙幣の総額）などを管理するようになっている。さらに、現金自動預払機１は、紙幣管理情報として記憶管理している紙幣カセット２７Ａ〜２７Ｄのそれぞれの紙幣枚数を、紙幣カセット２７Ａ〜２７Ｄのそれぞれの実際の紙幣枚数と一致させる精査機能を有している。この精査機能については後述する。
【００３２】
［１−３．精査機能］
精査機能は、紙幣カセット２７Ａ〜２７Ｄのそれぞれの紙幣枚数（金種ごとの枚数）を実際に計数して確定する機能であり、制御部２１が記憶部２２に記憶されている精査プログラムを実行することで実現される機能である。制御部２１は、精査プログラムを実行することで精査処理を行う。以下、図３を用いて、この精査処理について詳しく説明する。
【００３３】
作業員が操作表示部６を操作して精査を行うよう指示すると、これに応じて、制御部２１は精査処理を開始する。精査処理を開始すると、制御部２１は、まず、図３（Ａ）に示すように、紙幣カセット２７Ｄに収納されている紙幣（すなわち五千円券、二千円券、汚損紙幣）を、搬送路２８Ｒにおける、紙幣カセット２７Ｄから鑑別部２４を経由して入出金部２３に達する経路Ｒ１を利用して、入出金部２３へ移動させることで、紙幣カセット２７Ｄを空にする。つまり、紙幣カセット２７Ｄに収納されている紙幣を、入出金部２３に退避させる。
【００３４】
次に、制御部２１は、図３（Ｂ）に示すように、紙幣カセット２７Ｂに収納されている紙幣（すなわち千円券）を、紙幣カセット２７Ｂから鑑別部２４を経由して紙幣カセット２７Ｄに達する経路Ｒ２を利用して、空となっている紙幣カセット２７Ｄに移動させる。尚、このとき、鑑別部２４によってリジェクト紙幣と判定された紙幣については、紙幣カセット２７Ｄではなくリジェクト庫２６に搬送する。
【００３５】
このようにして、紙幣カセット２７Ｂに収納されている全ての紙幣（リジェクト紙幣は除く）を、空の紙幣カセット２７Ｄに移動させた後、制御部２１は、紙幣カセット２７Ｄに収納されている紙幣（すなわち千円券）を、経路Ｒ２とは逆方向の経路Ｒ３を利用して、元の紙幣カセット２７Ｂに戻す。このとき、制御部２１は、鑑別部２４による鑑別結果をもとに紙幣を計数する。そして、制御部２１は、紙幣カセット２７Ｄから紙幣カセット２７Ｂへと戻された紙幣の全てを計数し終えると、その計数結果（紙幣枚数）を記憶部２２に記憶する。
【００３６】
次に、制御部２１は、図３（Ｃ）に示すように、紙幣カセット２７Ａに収納されている紙幣（すなわち一万円券）を、紙幣カセット２７Ａから鑑別部２４を経由して紙幣カセット２７Ｄに達する経路Ｒ４を利用して、空となっている紙幣カセット２７Ｄに移動させる。尚、このとき、鑑別部２４によってリジェクト紙幣と判定された紙幣については、紙幣カセット２７Ｄではなくリジェクト庫２６に搬送する。
【００３７】
このようにして、紙幣カセット２７Ａに収納されている全ての紙幣（リジェクト紙幣は除く）を、空の紙幣カセット２７Ｄに移動させた後、制御部２１は、つづけて、紙幣カセット２７Ｃに収納されている紙幣（すなわち一万円券）を、紙幣カセット２７Ｃから鑑別部２４を経由して紙幣カセット２７Ｄに達する経路Ｒ５を利用して、紙幣カセット２７Ｄに移動させる。これにより、紙幣カセット２７Ａと紙幣カセット２７Ｃに収納されていた全ての紙幣（一万円券）が、紙幣カセット２７Ｄに移動したことになる。
【００３８】
尚、紙幣カセット２７Ａと紙幣カセット２７Ｃに収納されていた全ての紙幣（一万円券）を、紙幣カセット２７Ｄに移動させる為には、紙幣カセット２７Ａと紙幣カセット２７Ｃに収納されていた紙幣の総枚数が、紙幣カセット２７Ｄの最大収納枚数以下でなくてはならない。この為、例えば入金過多により、紙幣カセット２７Ａと紙幣カセット２７Ｃに収納されていた紙幣の総枚数が、紙幣カセット２７Ｄの最大収納枚数を超える場合には、紙幣カセット２７Ａと紙幣カセット２７Ｃに収納されていた全ての紙幣（一万円券）を、紙幣カセット２７Ｄに移動させることはできない。この場合の対処方法については後述する。
【００３９】
次に、制御部２１は、図３（Ｄ）に示すように、紙幣カセット２７Ｄに収納されている紙幣（すなわち一万円券）の全てを、経路Ｒ４とは逆方向の経路Ｒ６を利用して、紙幣カセット２７Ａに移動させる。このとき、制御部２１は、鑑別部２４による鑑別結果をもとに紙幣を計数する。そして、制御部２１は、紙幣カセット２７Ｄから紙幣カセット２７Ａへと戻された紙幣の全てを計数し終えると、その計数結果（紙幣枚数）を記憶部２２に記憶する。
【００４０】
また、紙幣カセット２７Ａと紙幣カセット２７Ｃに収納されていた紙幣の全てが、計数後に紙幣カセット２７Ａに収納される為、この時点で、紙幣カセット２７Ｃは空となっている。ゆえに、紙幣カセット２７Ｃに収納されている紙幣の枚数は０となる。
【００４１】
このようにして、紙幣カセット２７Ａ〜２７Ｃに収納されていた紙幣の計数が完了すると、制御部２１は、図３（Ｅ）に示すように、入出金部２３に退避させていた紙幣を、入出金部２３から鑑別部２４を経由して紙幣カセット２７Ｄに達する経路Ｒ７を利用して、紙幣カセット２７Ｄに戻す。このとき、制御部２１は、鑑別部２４による鑑別結果をもとに紙幣を計数する。そして、制御部２１は、入出金部２３から紙幣カセット２７Ｄへと戻された紙幣の全てを計数し終えると、その計数結果（紙幣枚数）を記憶部２２に記憶する。この時点で、紙幣カセット２７Ａ〜２７Ｄのそれぞれの実際の紙幣枚数が取得できたことになり、制御部２１は、紙幣管理情報として記憶している紙幣カセット２７Ａ〜２７Ｄのそれぞれの紙幣枚数を、精査で取得した実際の紙幣枚数に一致させることにより、紙幣カセット２７Ａ〜２７Ｄのそれぞれの紙幣枚数を確定させる。
【００４２】
このようにして、制御部２１は、紙幣カセット２７Ａ〜２７Ｄのそれぞれに収納されている紙幣を自動で計数して精査する。そして、制御部２１は、例えば、紙幣カセット２７Ａ〜２７Ｄのそれぞれの紙幣枚数と、紙幣カセット２７Ａ〜２７Ｄに収納されている紙幣の合計金額（有高）を、精査結果として、操作表示部６に表示させる。
【００４３】
一方で、リジェクト庫２６に収納されている紙幣には、金種を特定できなかった紙幣も含まれる為、自動で計数することはできない。この為、リジェクト庫２６に収納されている紙幣については、例えば作業員に手動で計数させることになる。
【００４４】
そこで、制御部２１は、例えば、操作表示部６に、紙幣カセット２７Ａ〜２７Ｄに対する精査結果を表示させる際に、リジェクト庫２６に収納されている紙幣の有高を入力するよう指示する文章も表示させる。ここで、作業員は、リジェクト庫２６に収納されているリジェクト紙幣を取り出して自ら計数したうえで、操作表示部６を操作してリジェクト紙幣の有高を入力する。尚、リジェクト紙幣は、計数完了後に作業員によってリジェクト庫２６に戻されるものとする。
【００４５】
制御部２１は、精査結果として得られた紙幣カセット２７Ａ〜２７Ｄの有高（これをカセット有高と呼ぶ）と、入力されたリジェクト紙幣の有高（これをリジェクト有高と呼ぶ）との合計が、紙幣管理情報として記憶している機内有高と一致するかどうかを判定する。そして、一致していれば、制御部２１は、機内有高を確定するともに、操作表示部６に、例えば、最終的な精査結果としてカセット有高、リジェクト有高、機内有高、及び精査が正常終了した旨などを表示して、精査処理を終了する。
【００４６】
これに対して、精査で取得したカセット有高と、入力されたリジェクト有高との合計が、紙幣管理情報として記憶している機内有高と一致しなかった場合、制御部２１は、例えば、操作表示部６にエラーを表示する。この場合、作業員は、例えば、現金自動預払機１内の全紙幣を一旦回収して機内有高との突合せを行い、機内有高をクリアしてから紙幣を再装填することで、機内有高と紙幣カセット２７Ａ〜２７Ｄの有高とを一致させる作業を行う。
【００４７】
現金自動預払機１では、このような手順で、精査処理を実行するようになっている。尚、上述の運用例では、紙幣カセット２７Ａ〜２７Ｄに対する精査完了後、作業員がリジェクト庫２６に収納されている紙幣を計数してリジェクト有高を現金自動預払機１に入力するようにしたが、これに限らず、例えば、紙幣カセット２７Ａ〜２７Ｄに対する精査完了後、制御部２１が精査結果として得られたカセット有高と機内有高を操作表示部６に表示させ、作業員が、リジェクト庫２６内の紙幣を自ら計数して得られたリジェクト有高を、カセット有高及び機内有高と突合せて確認するようにしてもよい。
【００４８】
また、これに限らず、例えば、作業員が、紙幣カセット２７Ａ〜２７Ｄとリジェクト庫２６に収納されている紙幣を一旦回収してリジェクト紙幣を計数することでリジェクト有高を得、リジェクト有高を、カセット有高及び機内有高と突合せて確認するようにしてもよい。どのような運用であっても、手動で計数することになるのは、リジェクト庫２６に収納されている紙幣のみとなる。
【００４９】
ここで、例えば入金過多により、紙幣カセット２７Ａと紙幣カセット２７Ｃに収納されていた紙幣の総枚数が、紙幣カセット２７Ｄの最大収納枚数を超える場合の対処方法について図４を用いて説明する。
【００５０】
制御部２１は、精査処理を開始すると、紙幣管理情報をもとに、紙幣カセット２７Ａと紙幣カセット２７Ｃに収納されている紙幣の総枚数を算出するようになっていて、この総枚数が紙幣カセット２７Ｄの最大収納枚数を超えている場合、以下の手順で精査処理を行うようになっている。
【００５１】
すなわち、制御部２１は、まず、図４（Ａ）に示すように、経路Ｒ１を利用して、紙幣カセット２７Ｄに収納されている紙幣を、入出金部２３へ退避させる。このときの動作は、図３（Ａ）に示す動作と同じである。次に、制御部２１は、図４（Ｂ）に示すように、紙幣カセット２７Ｂに収納されている紙幣（すなわち千円券）を、経路Ｒ２を利用して空となっている紙幣カセット２７Ｄに移動させ、その後、経路Ｒ３を利用して元の紙幣カセット２７Ｂへ戻しながら計数する。このときの動作は、図３（Ｂ）に示す動作と同じである。
【００５２】
次に、制御部２１は、図４（Ｃ）に示すように、紙幣カセット２７Ａに収納されている紙幣（すなわち一万円券）を、経路Ｒ４を利用して空となっている紙幣カセット２７Ｄに移動させる。その後、制御部２１は、紙幣カセット２７Ｃに収納されている紙幣（すなわち一万円券）を紙幣カセット２７Ｄに移動させる前に、紙幣カセット２７Ｄに収納されている紙幣を、経路Ｒ６を利用して紙幣カセット２７Ａに戻しながら計数する。このように、紙幣カセット２７Ｄに移動させた紙幣を、紙幣カセット２７Ａに戻すことで、紙幣カセット２７Ｄは再び空となる。次に、制御部２１は、図４（Ｄ）に示すように、紙幣カセット２７Ｃに収納されている紙幣（すなわち一万円券）を、経路Ｒ５を利用して紙幣カセット２７Ｄに移動させる。その後、制御部２１は、紙幣カセット２７Ｄに収納されている紙幣を、経路Ｒ５とは逆方向の経路Ｒ８を利用して紙幣カセット２７Ｃに戻しながら計数する。
【００５３】
このようにして、紙幣カセット２７Ａ〜２７Ｃに収納されていた紙幣の計数が完了すると、制御部２１は、図４（Ｅ）に示すように、入出金部２３に退避させていた紙幣を、経路Ｒ７を利用して紙幣カセット２７Ｄに戻しながら計数する。このときの動作は、図３（Ｅ）に示す動作と同じである。
【００５４】
このように、紙幣カセット２７Ａと紙幣カセット２７Ｃに収納されている紙幣（一万円券）の総枚数が紙幣カセット２７Ｄの最大収納枚数を超えている場合、紙幣カセット２７Ａと紙幣カセット２７Ｃに収納されている紙幣を一度に紙幣カセット２７Ｄに移動させるのではなく、まず紙幣カセット２７Ａに収納されている紙幣を紙幣カセット２７Ｄに移動させて紙幣カセット２７Ａに戻してから、紙幣カセット２７Ｃに収納されている紙幣を紙幣カセット２７Ｄに移動させて紙幣カセット２７Ｃに戻すようになっている。
【００５５】
つまり、この場合、紙幣カセット２７Ａ〜２７Ｃごとに、収納されている紙幣を紙幣カセット２７Ｄに移動させて元の紙幣カセット２７に戻すようになっている。こうすることで、紙幣カセット２７Ａと紙幣カセット２７Ｃに収納されていた紙幣の総枚数が、紙幣カセット２７Ｄの最大収納枚数を超えている場合でも、計数することができる。
【００５６】
［１−４．まとめと効果］
ここまで説明したように、第１の実施の形態の現金自動預払機１では、紙幣カセット２７Ａ〜２７Ｃには、それぞれリサイクル紙幣を収納し、紙幣カセット２７Ｄには、鑑別部２４によって金種が特定されたリサイクル不可紙幣を収納し、鑑別部２４によって金種が特定されなかったリサイクル不可紙幣については、リジェクト紙幣としてリジェクト庫２６に収納するようにした。
【００５７】
そして、紙幣の精査時には、まず紙幣カセット２７Ｄに収納されている紙幣を入出金部２３に退避させ、その後、紙幣カセット２７Ａ〜２７Ｃに収納されている紙幣を、空となった紙幣カセット２７Ｄに一旦移動させ、さらに紙幣カセット２７Ｄに移動させた紙幣を、紙幣カセット２７Ａ〜２７Ｃに移動させながら計数するようにした。そして、紙幣カセット２７Ａ〜２７Ｃに収納されている紙幣の計数完了後に、入出金部２３に退避させていた紙幣を、紙幣カセット２７Ｄに戻しながら計数するようにした。
【００５８】
こうすることで、現金自動預払機１では、従来ではリジェクト庫２６に収納される為に自動で精査できなかったリサイクル不可紙幣のうち、金種が特定できたリサイクル不可紙幣（五千円券、二千円券、汚損紙幣）については自動で精査できるようになる為、より多くの紙幣を自動で精査でき、リジェクト庫２６に収納される自動で精査できない紙幣を従来と比べて減らすことができる。
【００５９】
これにより、現金自動預払機１では、リジェクト庫２６に収納しているリジェクト紙幣については、作業員が手動で計数しなくてはならないものの、従来と比べてリジェクト紙幣の枚数が少なくなる為、リジェクト紙幣の計数作業にかかる手間を軽減することができ、結果として、紙幣精査時の手間を軽減できる。
【００６０】
さらに、現金自動預払機１では、紙幣カセット２７Ｄに収納されている紙幣を、入出金部２３に退避させることで、紙幣カセット２７Ｄを空にするようにして、この紙幣カセット２７Ｄを、紙幣を一旦移動させる紙幣カセット２７として精査に利用するようにした。こうすることで、従来のように、紙幣を収納する紙幣カセットとは別に、精査に利用する空の紙幣カセットを設ける必要がなく、現金自動預払機１内のスペースを有効利用でき、従来の現金自動預払機と比べて容易に小型化できる。
【００６１】
［２．第２の実施の形態］
次に、第２の実施の形態について説明する。第２の実施の形態は、精査機能が第１の実施の形態とは異なる実施の形態であり、現金自動預払機１の構成などについては、第１の実施の形態と同一である。よって、ここでは、精査機能についてのみ説明することとする。
【００６２】
［２−１．精査機能］
上述した第１の実施の形態の精査機能では、まず紙幣カセット２７Ｄに収納されている紙幣を入出金部２３に退避させるようになっていた。これは、入出金部２３の最大収納枚数が紙幣カセット２７Ａ〜２７Ｄのそれぞれの最大収納枚数より小さく、且つ紙幣カセット２７Ｄに収納されている紙幣の枚数が、紙幣カセット２７Ａ〜２７Ｃのそれぞれに収納されている紙幣の枚数より少ない場合が多いからである。
【００６３】
実際、紙幣カセット２７Ｄに収納される五千円券及び二千円券は、一万円券及び千円券と比べて流通量が少なく、また紙幣カセット２７Ｄに収納される汚損紙幣は、リサイクルできないほど汚損した紙幣であり、そもそもこのような汚損紙幣は正常な紙幣と比べて数が少ない。
【００６４】
よって、通常、紙幣カセット２７Ｄに収納されている紙幣の枚数は、入出金部２３の最大収納枚数より十分少ない為、紙幣カセット２７Ｄに収納されている紙幣の全てを、入出金部２３に退避させることができた。
【００６５】
しかしながら、可能性は低いものの、例えば顧客によって大量の五千円券が入金されるなどして、紙幣カセット２７Ｄに収納されている紙幣の枚数が入出金部２３の最大収納枚数を超えてしまう場合もある。この場合、第１の実施の形態の精査機能では、紙幣カセット２７Ｄに収納されている紙幣の一部しか入出金部２３に退避させることができなくなってしまう。
【００６６】
そこで、この第２の実施の形態の精査機能では、紙幣カセット２７Ｄに収納されている紙幣の全てが入出金部２３に入りきらない場合に、入出金部２３に入りきらない紙幣をリジェクト庫２６に移動させることで、紙幣カセット２７Ｄを空にするようになっている。以下、図５を用いて、第２の実施の形態の精査機能による精査処理について詳しく説明する。
【００６７】
精査処理を開始すると、制御部２１は、まず、紙幣カセット２７Ｄ内の紙幣の枚数が、入出金部２３の退避可能枚数を超えているかどうかを判定する。尚、紙幣カセット２７Ｄ内の紙幣の枚数は、紙幣管理情報として記憶部２２に記憶されていて、入出金部２３の退避可能枚数も記憶部２２に記憶されているものとする。また、入出金部２３の退避可能枚数は、例えば、入出金部２３の最大収納枚数と同数であってもよいし、最大収納枚数よりわずかに少ない枚数であってもよい。
【００６８】
そして、制御部２１は、紙幣カセット２７Ｄ内の紙幣の枚数が、入出金部２３の退避可能枚数を超えていない場合には、図３、図４に示した第１の実施の形態と同様の精査処理を行う。一方で、紙幣カセット２７Ｄ内の紙幣の枚数が、入出金部２３の退避可能枚数を超えている場合、制御部２１は、図５（Ａ）に示すように、紙幣カセット２７Ｄに収納されている紙幣のうち、入出金部２３の退避可能枚数分の紙幣を、経路Ｒ１を利用して、入出金部２３へ移動させる。
【００６９】
続けて制御部２１は、紙幣カセット２７に収納されている残りの紙幣を、紙幣カセット２７Ｄから鑑別部２４を経由してリジェクト庫２６に達する経路Ｒ１０を利用して、リジェクト庫２６に移動させる。これにより、紙幣カセット２７Ｄが空となる。
【００７０】
その後、制御部２１は、図５（Ｂ）〜（Ｄ）に示すように、図３（Ｂ）〜（Ｄ）に示す第１の実施の形態の精査処理と同様の精査処理を行うことで、紙幣カセット２７Ａ〜２７Ｃのそれぞれに収納されている紙幣を計数する。
【００７１】
その後、制御部２１は、図５（Ｅ）に示すように、入出金部２３に退避させていた紙幣を、経路Ｒ７を利用して、紙幣カセット２７Ｄに戻しながら計数する。この時点で、紙幣カセット２７Ａ〜２７Ｄのそれぞれの実際の紙幣枚数が取得できたことになり、制御部２１は、紙幣管理情報として記憶している紙幣カセット２７Ａ〜２７Ｄのそれぞれの紙幣枚数を、精査で取得した実際の紙幣枚数に一致させることにより、紙幣カセット２７Ａ〜２７Ｄのそれぞれの紙幣枚数を確定させる。
【００７２】
このようにして、制御部２１は、紙幣カセット２７Ａ〜２７Ｄのそれぞれに収納されている紙幣を自動で計数して精査する。以降の精査処理は、第１の実施の形態と同様の為、説明を省略する。
【００７３】
［２−２．まとめと効果］
ここまで説明したように、第２の実施の形態の現金自動預払機１では、紙幣の精査時に、紙幣カセット２７Ｄに収納されている紙幣の枚数が、入出金部２３の退避可能枚数を超えている場合、紙幣カセット２７Ｄに収納されている紙幣のうち、入出金部２３の退避可能枚数分の紙幣については、入出金部２３に移動させ、入出金部２３に入りきらない残りの紙幣いついては、リジェクト庫２６に移動させることで、紙幣カセット２７Ｄを空にする。
【００７４】
そして、空となった紙幣カセット２７Ｄを利用して紙幣カセット２７Ａ〜２７Ｃに収納されている紙幣を計数した後、入出金部２３に退避させている紙幣を、紙幣カセット２７Ｄに戻しながら計数するようにした。
【００７５】
こうすることで、第２の実施の形態の現金自動預払機１では、紙幣カセット２７Ｄに収納されている紙幣の全てが入出金部２３に入りきらない場合でも、紙幣カセット２７Ａ〜２７Ｃに収納されている紙幣と、紙幣カセット２７Ｄに収納されていて且つ入出金部２３に退避させることができた紙幣については、自動で精査できる。
【００７６】
この場合、精査後のリジェクト庫２６には、リジェクト紙幣（すなわち金種が特定できなかったリサイクル紙幣）にくわえて、紙幣カセット２７Ｄに収納されていた紙幣（すなわち金種が特定できたリサイクル不可紙幣）のうち、入出金部２３に退避させることができなかった紙幣が収納されることになるが、この場合でも、従来のようにリサイクル不可紙幣の全てをリジェクト庫２６に収納する場合と比べれば、より多くの紙幣を自動で精査でき、リジェクト庫２６に収納される自動で精査できない紙幣を減らすことができる。
【００７７】
これにより、第２の実施の形態の現金自動預払機１では、リジェクト庫２６に収納しているリジェクト紙幣については、作業員が手動で計数しなくてはならないものの、従来と比べてリジェクト紙幣の枚数が少なくなる為、リジェクト紙幣の計数作業にかかる手間を軽減することができ、結果として、紙幣精査時の手間を軽減でき、且つ紙幣カセット２７Ｄに収納されている紙幣の枚数によらず、紙幣カセット２７Ａ〜２７Ｄに対する精査を行うことできる。
【００７８】
［３．他の実施の形態］
［３−１．他の実施の形態１］
尚、上述した第１及び第２の実施の形態では、紙幣の精査時に、紙幣カセット２７Ｄに収納されている紙幣を、入出金部２３に退避させるようにした。これに限らず、紙幣カセット２７Ａ〜２７Ｄのうち、収納されている紙幣の枚数が一番少ない紙幣カセット２７に収納されている紙幣を、入出金部２３に退避させるようにしてもよい。このようにすれば、紙幣カセット２７から入出金部２３に紙幣を退避させる際に、入出金部２３に紙幣が入りきらなくなってしまう状況を、より起こり難くすることができる。また、こうすることで、第２の実施の形態では、入出金部２３に紙幣が入りきらない場合に、リジェクト庫２６に移動させる紙幣の枚数をより少なくすることができる。
【００７９】
［３−２．他の実施の形態１］
また、上述した第２の実施の形態では、紙幣カセット２７Ｄ内の紙幣を、入出金部２３に退避させる前に、紙幣カセット２７Ｄ内の紙幣の枚数が、入出金部２３の退避可能枚数を超えているかどうかを判定するようにした。これに限らず、例えば、紙幣カセット２７Ｄ内の紙幣を一枚ずつ順に入出金部２３に退避させながら、このとき鑑別部２４を通る紙幣の枚数をカウントしていき、この枚数が、入出金部２３の退避可能枚数に達したら、紙幣カセット２７Ｄ内の紙幣の移動先を、入出金部２３からリジェクト庫２６に切り替えるようにしてもよい。尚、この場合、鑑別部２４を通る紙幣の枚数が、入出金部２３の退避可能枚数に達したら、一旦紙幣の搬送を停止させ、紙幣カセット２７Ｄ内の紙幣の移動先を、入出金部２３からリジェクト庫２６に切り替えてから、紙幣搬送を再開させるようにしてもよい。
【００８０】
また、これに限らず、例えば、入出金部２３内に紙幣の収納量を検知するセンサが設けられている場合には、制御部２１が、このセンサの出力をもとに、入出金部２３内の紙幣が満杯に近づいた（ニアフルとなった）タイミングで、紙幣カセット２７Ｄ内の紙幣の移動先を、入出金部２３からリジェクト庫２６に切り替えるようにしてもよい。
【００８１】
［３−３．他の実施の形態３］
さらに、上述した第１及び第２の実施の形態では、リサイクル紙幣を収納する３個の紙幣カセット２７Ａ〜２７Ｃと、金種が特定されているリサイクル不可紙幣を収納する紙幣カセット２７Ｄと、金種が特定されていないリサイクル不可紙幣を収納するリジェクト庫２６を有する現金自動預払機１に、本発明を適用した。これに限らず、リサイクル紙幣を収納する紙幣カセットが２個以下の現金自動預払機や、４個以上の現金自動預払機にも、本発明を適用することができる。
【００８２】
［３−４．他の実施の形態４］
さらに、上述した第１及び第２の実施の形態では、本発明を、自動取引装置としての現金自動預払機１に適用したが、これに限らず、入出金部と複数の紙幣カセットとリジェクト庫を有する自動取引装置であれば、現金自動預払機１とは異なる構成の自動取引装置にも適用できる。例えば、日本国外の紙幣を扱う自動取引装置であっても、入出金部と複数の紙幣カセットとリジェクト庫を有する自動取引装置であれば適用できる。また、紙幣カセット２７Ｄから入出金部２３に紙幣を移動させることができ、且つ紙幣カセット２７Ｄと、紙幣カセット２７Ａ〜２７Ｃとの間で紙幣を移動させることができる搬送路を有する自動取引装置であれば、図２に示す搬送路２８Ｒとは異なる搬送路を有する現金自動預払機１にも適用できる。
【００８３】
さらに、上述した実施の形態では、現金自動預払機１に、第１の紙幣カセット及び第１金種収納カセットの具体例である紙幣カセット２７Ａ、２７Ｃと、第１の紙幣カセットの具体例である紙幣カセット２７Ｂと、第２の紙幣カセットの具体例である紙幣カセット２７Ｃとを設けた。これに限らず、紙幣を収納可能な紙幣カセットであれば、紙幣カセット２７Ａ〜２７Ｄとは異なる構成（例えば前後方向に紙幣を収納する構成）の紙幣カセットを、第１、第２の紙幣カセット、及び第１金種収納カセットとして用いてもよい。また、上述した実施の形態では、紙幣カセット２７Ｄに、五千円券と、二千円券と汚損紙幣とを収納するようにしたが、これに限らず、例えば五千円券もリサイクルするのであれば、紙幣カセット２７Ｃに五千円券を収納し、紙幣カセット２７Ｄに二千円券と汚損紙幣とを収納するなどしてもよい。さらに、上述した実施の形態では、現金自動預払機１に、紙幣の精査を行う制御部の具体例である制御部２１を設けた。これに限らず、紙幣の精査機能を有する制御部であれば、制御部２１とは異なる制御部を現金自動預払機１に設けてもよい。
【００８４】
［３−５．他の実施の形態５］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【００８５】
本発明は、複数の紙幣カセットに収納されている紙幣を精査する精査機能を備えた自動取引装置で広く利用することができる。
【符号の説明】
【００８６】
１……現金自動預払機、１０……紙幣入出金機、２１……制御部、２２……記憶部、２３……入出金部、２４……鑑別部、２６……リジェクト庫、２８Ｒ……搬送路、２７Ａ〜２７Ｄ……紙幣カセット、Ｒ１〜Ｒ８、Ｒ１０……経路。
【図１】
2017151928.tif 000003
【図２】
2017151928.tif 000004
【図３】
2017151928.tif 000005
【図４】
2017151928.tif 000006
【図５】
2017151928.tif 000007